(57)【要約】  【課題】伸縮部材や弾性布などを使用することなく、ナプキンをしっかりと、局部から臀部にかけての凹所に密着させることにより後漏れを効果的に防止するようにした生理用ショーツを提供する。  【解決手段】前身頃２、後身頃３及びこれら両者間を繋ぐ股下部４とからなり、吸収性物品が固定されて着用される生理用ショーツ１において、前記股下部４から後身頃３の略中央までの範囲に亘り、縦方向中心線に沿って長細状に、隆起した断面形状を成す弾性パッド６を設ける。前記弾性パッド６は、例えば高圧縮、復元性を有するクッション材７とし、前記生理用ショーツ１に前記クッション材７を縫い付け、被せ布９で覆いその周囲を縫い付けて固定してある。【選択図】図２
2005270520.tif 000002
【特許請求の範囲】
【請求項１】
前身頃、後身頃及びこれら両者間を繋ぐ股下部とからなり、吸収性物品が固定されて着用される生理用ショーツにおいて、
前記股下部から後身頃の略中央までの範囲に亘り、縦方向中心線に沿って長細状に、隆起した断面形状を成す弾性パッドを設けたことを特徴とする生理用ショーツ。
【請求項２】
前記弾性パッドはクッション材とし、前記生理用ショーツに前記クッション材を縫い付け、被せ布で覆いその周囲を縫い付けて固定してある請求項１記載の生理用ショーツ。
【請求項３】
前記弾性パッドはクッション材とし、伸長させた状態で前記生理用ショーツに縫い付け、被せ布で覆いその周囲を縫い付けて固定してある請求項１記載の生理用ショーツ。
【請求項４】
前記弾性パッドは、生理用ショーツに被せ布を配置するとともに、一部を除きその周囲を縫い付け、内部に繊維を詰め込んだ後、開口部を縫合するとともに、キルティング加工を施し前記繊維のズレを防止してある請求項１記載の生理用ショーツ。
【請求項５】
前記弾性パッドは、袋状物の内部に繊維を詰め込んだ後、開口部を縫合するとともに、キルティング加工を施し前記繊維のズレを防止したものを前記生理用ショーツに縫い付けて固定してある請求項１記載の生理用ショーツ。
【請求項６】
前記弾性パッドの断面形状は、台形断面、略三角形断面、円弧状断面、中央部に緩やかな凹状部が形成された凹形断面、中央部に緩やかな凸状部が形成された凸形断面のいずれか又は組合せとしてある請求項１〜５いずれかに記載の生理用ショーツ。
【請求項７】
前記弾性パッドは、股下部から臀部側にかけてほぼ等幅寸法とし、中間点から漸次幅を狭めた先細形状としてある請求項１〜６いずれかに記載の生理用ショーツ。
【請求項８】
前記弾性パッドは、股下部での厚みが３〜１５mm、全長が１９０〜２１０mm、前記等幅部の幅寸法が１０〜５０mm、前記等幅部の長手寸法が１４０〜１７０mm、先細形状部の長手寸法が４０〜５０mmとしてある請求項７記載の生理用ショーツ。
【発明の詳細な説明】
【技術分野】
【０００１】
本発明は、生理用ナプキンやパンティライナなどの吸収性物品が固定されて着用される生理用ショーツに係り、身体とナプキンとの間にできる隙間を無くし、特に後漏れを無くした生理用ショーツに関する。
【背景技術】
【０００２】
従来より、生理用ナプキンやパンティライナなどの吸収性物品が固定されて着用される生理用ショーツが提案されている。この生理用ショーツが通常のショーツと異なるのは、付着した体液の汚れを落とし易いように、内面側にクロッチからヒップ側にかけて防水布が配設されている点である。前記防水布を設けたことにより体液を外部に浸透させないが、臀部では身体とナプキンとの間に隙間が生じ易く、特に就寝時に後漏れを生じ易い。
【０００３】
この問題点を解決するために、下記特許文献１では、身体とナプキンとの間の隙間を無くすため、股下部、又は後身頃における股下寄りの位置に、装着状態でナプキンを身体に密着させるように変形させるための立体形状を有する立体片を設けるとともに、該立体片を取り付けた位置に前後方向に延びる伸縮部材を取り付けるようにした生理用ショーツが提案されている。
【０００４】
また、下記特許文献２では、股下部に縦方向中心線に沿って帯状の非伸縮部材を配することにより、ナプキンを変形させ身体に密着させるようにした生理用ショーツが提案されている。
【０００５】
さらに、下記特許文献３では、後身頃部分において縦方向中心線に沿って弾性布をギャザー縫いした生理用ショーツが提案されている。
【特許文献１】特開２００３−１７１８０２号公報
【特許文献２】特開２００３−１９０２１４号公報
【特許文献３】特開平９−１１１５０３号公報
【発明の開示】
【発明が解決しようとする課題】
【０００６】
しかしながら、上記特許文献１記載の生理用ショーツの場合には、立体片を設けることにより局部的にナプキンを身体に密着させることは可能であるけれども、身体とナプキンとの隙間を完全に無くすことは困難で、特に就寝時における体液漏れを効果的に防止することはできないとともに、伸縮部材によってナプキンを身体側に押付けるためにはかなり強い締め付け力を必要とするため、装着感が損なわれるとともに、血行不良の原因となるなどの問題があった。
【０００７】
次いで、上記特許文献２記載の生理用ショーツの場合は、敢えて非伸縮部材を縦方向に沿って配設し、この非伸縮性による押上げ力によってナプキンを局部に密着させるものであるが、前記非伸縮部材によって身体の動きが大きく拘束されるようになるため装着感が悪く不快感を伴うようになるなどの問題がある。
【０００８】
上記特許文献３記載の生理用ショーツの場合は、弾性布によってナプキンを身体側に押付けるためにはかなり強い締め付け力を必要とするため、装着感が損なわれるとともに、血行不良の原因となるなどの問題があった。
【０００９】
そこで本発明の主たる課題は、伸縮部材や弾性布などを使用することなく、ナプキンをしっかりと、局部から臀部にかけての凹所に密着させることにより後漏れを効果的に防止するようにした生理用ショーツを提供することにある。
【課題を解決するための手段】
【００１０】
前記課題を解決するために請求項１に係る本発明として、前身頃、後身頃及びこれら両者間を繋ぐ股下部とからなり、吸収性物品が固定されて着用される生理用ショーツにおいて、
前記股下部から後身頃の略中央までの範囲に亘り、縦方向中心線に沿って長細状に、隆起した断面形状を成す弾性パッドを設けたことを特徴とする生理用ショーツが提供される。
【００１１】
請求項２に係る本発明として、前記弾性パッドはクッション材とし、前記生理用ショーツに前記クッション材を縫い付け、被せ布で覆いその周囲を縫い付けて固定してある請求項１記載の生理用ショーツが提供される。
【００１２】
請求項３に係る本発明として、前記弾性パッドはクッション材とし、伸長させた状態で前記生理用ショーツに縫い付け、被せ布で覆いその周囲を縫い付けて固定してある請求項１記載の生理用ショーツが提供される。
【００１３】
請求項４に係る本発明として、前記弾性パッドは、生理用ショーツに被せ布を配置するとともに、その周囲を縫い付け、内部に繊維を詰め込んだ後、開口部を縫合するとともに、キルティング加工を施し前記繊維のズレを防止してある請求項１記載の生理用ショーツが提供される。
【００１４】
請求項５に係る本発明として、前記弾性パッドは、袋状物の内部に繊維を詰め込んだ後、開口部を縫合するとともに、キルティング加工を施し前記繊維のズレを防止したものを前記生理用ショーツに縫い付けて固定してある請求項１記載の生理用ショーツが提供される。
【００１５】
請求項６に係る本発明として、前記弾性パッドの断面形状は、台形断面、略三角形状断面、円弧状断面、中央部に緩やかな凹状部が形成された凹形断面、中央部に緩やかな凸状部が形成された凸形断面のいずれか又は組合せとしてある請求項１〜５いずれかに記載の生理用ショーツが提供される。
【００１６】
請求項７に係る本発明として、前記弾性パッドは、股下部から臀部側にかけてほぼ等幅寸法とし、中間点から漸次幅を狭めた先細形状としてある請求項１〜６いずれかに記載の生理用ショーツが提供される。
【００１７】
請求項８に係る本発明として、前記弾性パッドは、股下部での厚みが３〜１５mm、全長が１９０〜２１０mm、前記等幅部の幅寸法が１０〜５０mm、前記等幅部の長手寸法が１４０〜１７０mm、先細形状部の長手寸法が４０〜５０mmとしてある請求項７記載の生理用ショーツが提供される。
【発明の効果】
【００１８】
以上詳説のとおり本発明によれば、伸縮部材や弾性布などを使用することなく、ナプキンをしっかりと、局部から臀部にかけての凹所に密着させることにより後漏れを効果的に防止することが可能となる。
【発明を実施するための最良の形態】
【００１９】
以下、本発明の実施の形態について図面を参照しながら詳述する。
図１は本発明に係る生理用ショーツ１の斜視図であり、図２はその展開図、図３の図２のIII−III線矢視図である。
【００２０】
本生理用ショーツ１は、生理用ナプキンやパンティライナなどの吸収性物品が固定されて着用されるものであり、前身頃２、後身頃３及びこれら両者間を繋ぐ股下部４とからなるものである。これら前身頃２、後身頃３及び股下部４は、綿布のように肌触り感及び通気性が良好で、かつエラストマー繊維を含み、縦及び横方向にある程度の伸縮性が付与された素材を使用するのが望ましい。
【００２１】
前記股下部４は、前記前身頃２、後身頃３と同素材からなる外面布の内面側に防水布５が重ねて縫い合わせられている。この防水布５は、股間部と同形状を成し、側縁部及び前後部のそれぞれにおいて縫合され、非肌面側の面（隠れた内面側）に防水処理、例えばシリコン系、フッ素系の撥水剤を塗工することにより、或いはポリフッ化エチレン、ポリウレタン、ポリエチレン等の撥水性シートを積層することにより防水処理が成されている。近年は、ポリエチレンアミノ酸ウレタン重合体、ポリウレタン重合体、ポリテトラフルオロエチレン重合体を布帛にコーティング又はラミネートした透湿性防水布なども提供されている。本生理用ショーツ１の防水布５としては、極力、ムレを無くす観点から透湿性を有するものが好適に使用される。
【００２２】
本生理用ショーツ１においては、図１〜図３に示されるように、前記股下部４から後身頃３の略中央までの範囲に亘り、縦方向中心線ＣＬに沿って長細状に、隆起した断面形状を成す弾性パッド６を設けるようにしている。前記弾性パッド６を股下部４から後身頃３の略中央までの範囲に亘って設けることにより、ナプキンを局部から臀部にかけての凹所に連続して密着させることができ、ナプキンと身体との間の隙間が無くなり、後漏れを効果的に防止できるようになる。また、伸縮部材や弾性布などの伸縮力による強い押付け力が無くても、ナプキンを身体に密着できるようになるため締め付け感が無く、かつ弾性パッドも柔軟性（弾性）を有し身体形状に沿って変形するため装着感も良好にできるようになる。さらに、弾性パッド６はクッション性に富んでいるため、ナプキンを体の動きに追従させることが可能で、ナプキンを肌に密着して固定するため吸収体のヨレを防止することができる。
【００２３】
前記弾性パッド６の形状は、図２に示されるように、股下部４から臀部側にかけてほぼ等幅寸法とし、中間点から漸次幅を狭めた先細形状とするのが望ましい。この場合に、前記弾性パッド６は股下部４での厚みｔが３〜１５mm、全長Ｌが１９０〜２１０mm、前記等幅部６Ａの幅寸法Ｂが１０〜５０mm、前記等幅部６Ａの長手寸法Ｌ１が１４０〜１７０mm、先細形状部６Ｂの長手寸法Ｌ２が４０〜５０mmとするのが望ましい。前記股下部４での厚みｔが３mm未満の場合はナプキンを身体に密着させることができないとともに、隙間が生じてしまう。１５mmを超える場合には装着時の違和感が顕著となる。全長Ｌが１９０mm未満の場合には局部から臀部にかけてナプキンを密着させることができず後漏れを効果的に防止できない。２１０mmを超える場合には装着時の違和感が顕著となる。前記等幅部６Ａの幅寸法が１０mm未満の場合には、ナプキンの両側で身体との間に隙間が形成される場合があり、５０mmを超える場合には装着時の違和感が顕著となる。
【００２４】
前記弾性パッド６を構成するための材料としては、例えば軟質ウレタンフォーム、ポリエチレンフォーム、メラミンフォームなどのフォーム材、合成ゴムスポンジ、ポリウレタンスポンジ、ＰＶＡスポンジ、天然海綿などの各種スポンジ材などの高圧縮性、復元性を備えた各種クッション材７や、レーヨン、綿などの繊維８などを好適に用いることができる。
【００２５】
前記クッション材７を用いる場合の製法としては、例えば図示されるように、前記生理用ショーツ１に前記クッション材７を縫い付け、被せ布９で覆いその周囲を縫い付けて固定するようにする。また、ある程度の伸縮力を与えるようにするには、伸長させた状態で前記生理用ショーツ１に縫い付け、被せ布９で覆いその周囲を縫い付けて固定するようにしてもよい。伸長率はもとの長さの５〜３００％伸長させた状態とするのが望ましい。伸長率が５％未満の場合には伸長による効果が得られない。また、伸長率が３００％を超える場合には伸長させた際、弾性パッド自体が破断することがある。
【００２６】
前記繊維８を用いる場合の製法としては、例えば生理用ショーツ１に被せ布９を配置するとともに、一部を除きその周囲を縫い付け、内部に繊維８を詰め込んだ後、開口部を縫合するとともに、キルティング加工を施し前記繊維８のズレを防止するのが望ましい。また、袋状物の内部に繊維を詰め込んだ後、開口部を縫合するとともに、キルティング加工を施し前記繊維のズレを防止したものを前記生理用ショーツ１に縫い付けて固定するようにしてもよい。前記キルティング加工とは、布地の間に綿などを挟んで、その綿が中でずれないように止めながら装飾を兼ねて縫い合わせる縫製技法である。パターンは、詰め込んだ繊維８のズレを防止できるならば、格子柄（縦格子、菱格子等）、単円、楕円若しくはこれらの組合せとすることができる。繊維８のズレ防止の点では格子柄、又は格子柄を含んだパターンとするのが好ましい。
【００２７】
前記弾性パッド６の股下部４における断面形状は、図３に示される台形状断面の他、図４に示されるように、略三角形状断面（図４(A)）、円弧状断面（図４(B)）、中央部に緩やかな凹状部が形成された凹形断面（図４(C)）、中央部に緩やかな凸状部が形成された凸形断面（図４(D)）のいずれか又は組合せとするのが望ましい。断面形状が台形断面及び円弧状断面の場合には、特に柔らかくナプキンを身体に密着させることができ、断面が略三角形状断面の場合には、特に臀部の窪み形状に整合することにより該部分での隙間を無くすことが可能となる。
【００２８】
また、中央部に緩やかな凹状部が形成された凹形断面の場合には、図５に示されるように、特に中高部を有するナプキンの中高吸収体部又はフィットエンボスを有するナプキンのフィットエンボスで囲まれた部分が緩やかな凹部に嵌り込むことによりナプキンのズレや吸収体のヨレが防止されるとともに、表面側の両側部に立体ギャザーを有するナプキンＮの場合には同図に示されるように、立体ギャザー１０の起立部１１を側方に拡がるように開口させることが可能となる。中央部に緩やかな凸状部が形成された凸形断面の場合には、ナプキンの表面に中高部を有しない場合であっても、ナプキンをへ字状に屈曲させるため中高部を有するナプキンと同等の効果を持たせることが可能となる。
【００２９】
また、これらの断面形状を組み合わせる場合には、例えば、弾性パッド６の等幅部６Ａは台形断面、凸形断面又は凹形断面とし、弾性パッド６の先細形状部６Ｂは略三角形断面又は円弧状断面というように、それぞれの部位毎にナプキンと身体との密着性が高まるように組合せるのがよい。
【図面の簡単な説明】
【００３０】
【図１】本発明に係る生理用ショーツ１の斜視図である。
【図２】その展開図である。
【図３】図２のIII−III線矢視図である。
【図４】弾性パッド６の断面形状例を示す図である。
【図５】図４(C)の凹形断面の弾性パッド６にナプキンを固定した場合の断面図である。
【符号の説明】
【００３１】
１…生理用ショーツ、２…前身頃、３…後身頃、４…股下部、５…防水布、６…弾性パッド、７…クッション材、８…繊維、９…被せ布、Ｎ…ナプキン
【図１】
2005270520.tif 000003
【図２】
2005270520.tif 000004
【図３】
2005270520.tif 000005
【図４】
2005270520.tif 000006
【図５】
2005270520.tif 000007